(57)【特許請求の範囲】
【請求項１】
所定の距離まで情報を発信可能な無線通信機器の識別情報である無線通信機器識別情報に、同無線通信機器が設置された位置から所定の範囲内に設置された情報表示装置の識別情報である情報表示装置識別情報を関連付けて記録可能な無線通信機器識別情報記録部と、ユーザ個人の属性に関する情報であるユーザ個人属性情報を記録可能なユーザ個人属性情報記録部と、受信した無線通信機器識別情報と前記無線通信機器識別情報記録部が記録した無線通信機器識別情報とを照合可能な識別情報照合部と、該識別情報照合部が照合して両方の無線通信機器識別情報が一致した場合に、前記ユーザ個人属性情報記録部が記録したユーザ個人属性情報を、同無線通信機器識別情報と関連付けられた情報表示装置識別情報の情報表示装置へ送信可能なユーザ個人属性情報送信部とを有する携帯端末と、
情報を表示可能な情報表示部と、該情報表示部が表示する情報を、基準となる個人の属性に関する情報である基準個人属性情報に関連付けて記録可能な属性対応情報記録部と、受信した前記ユーザ個人属性情報と前記属性対応情報記録部が記録した基準個人属性情報とを対比し、前記ユーザ個人属性情報が適合した前記基準個人属性情報と関連付けられて前記属性対応情報記録部が記録した情報を前記情報表示部に表示させる制御が可能な表示制御部とを有する前記情報表示装置とを備える
情報表示システム。
【請求項２】
前記ユーザ個人属性情報送信部は、さらに、前記ユーザ個人属性情報記録部が記録した前記ユーザ個人属性情報に含まれる、出身地と居住地域が異なる場合に、出身地を送信可能である
請求項１に記載の情報表示システム。
【請求項３】
前記属性対応情報記録部が前記基準個人属性情報に関連付けて記録した情報は、同基準個人属性情報に含まれる国籍に関連した公用語に基づいて前記情報表示部が表示する情報である
請求項１に記載の情報表示システム。
【請求項４】
前記携帯端末は、前記識別情報照合部が照合して両方の無線通信機器識別情報が一致した場合に、同携帯端末の位置情報を送信可能な位置情報送信部を有し、
前記情報表示装置は、地図に関する情報である地図情報を位置情報と関連付けて記録可能な地図情報記録部を有し、
前記情報表示装置の前記情報表示部は、前記携帯端末の位置情報を受信した場合に、同位置情報に相当する、前記地図情報記録部が記録した地図情報を表示可能である
請求項１または請求項２に記載の情報表示システム。
【請求項５】
前記情報表示装置の前記情報表示部が表示する情報を記録可能な情報記録部と、前記無線通信機器識別情報に、前記情報表示装置識別情報を関連付けて記録可能な無線通信機器識別情報記録部と、前記ユーザ個人属性情報送信部が送信した前記ユーザ個人属性情報を受信した場合に、前記情報記録部が記録した情報を、受信した無線通信機器識別情報と関連付けられた情報表示装置識別情報の情報表示装置へ送信可能な情報送信部とを有するサーバを備え、
前記携帯端末の前記ユーザ個人属性情報送信部は、前記識別情報照合部が照合して両方の無線通信機器識別情報が一致した場合に、さらに前記サーバへ、前記ユーザ個人属性情報記録部が記録したユーザ個人属性情報および一致した無線通信機器識別情報を送信可能である
請求項１、請求項２、請求項３または請求項４に記載の情報表示システム。
【請求項６】
前記サーバの前記情報記録部は、前記無線通信機器識別情報と関連付けて、同無線通信機器識別情報の無線通信機器が設置された地域に関する広告情報を記録可能である
請求項５に記載の情報表示システム。
【請求項７】
前記情報表示装置は自動販売機であり、
前記情報表示装置は、販売される商品に関する画像を表示可能な画像表示部と、該画像表示部の表示方向と同じ方向を撮像可能であり、かつ、同画像表示部の表示方向と同じ方向上で同画像表示部から所定の範囲内に位置する生物体を検知可能な撮像検知部と、該撮像検知部が撮像して得られた撮像情報を前記サーバへ送信可能な撮像情報送信部と、広告画像を受信可能な広告画像受信部と、該広告画像受信部が受信した広告画像を記録可能な広告画像記録部と、前記撮像検知部が検知した生物体が所定の時間以上前記画像表示部の表示方向と同じ方向上で同画像表示部から所定の範囲内に位置するか否かを判定可能な画像判定部と、該画像判定部が生物体は所定の時間以上位置すると判定した場合に、受信した、購入される可能性が高い商品の情報および購入される可能性が低い商品の情報を含む最適化情報に基づいて前記画像表示部の表示を切替える制御が可能な、または前記画像判定部が生物体は所定の時間未満位置すると判定した場合に、前記広告画像記録部が記録した広告画像を前記画像表示部に表示させる制御が可能な、画像制御部とを有し、
前記サーバは、前記撮像情報送信部が送信した前記撮像情報を受信可能な撮像情報受信部と、該撮像情報受信部が受信した前記撮像情報を記録可能な撮像情報記録部と、前記情報表示装置に関する情報であり販売される商品に関する情報を含む情報表示装置情報を記録可能な情報表示装置情報記録部と、前記撮像情報記録部が記録した前記撮像情報と前記情報表示装置情報記録部が記録した前記情報表示装置情報とに基づいて、購入される可能性が高い商品と購入される可能性が低い商品を最適化情報として決定可能な最適化処理部と、該最適化処理部が決定した前記最適化情報を前記情報表示装置へ送信可能な最適化情報送信部とを有し、
前記サーバの前記情報記録部は、さらに前記画像表示部が表示する広告画像を記録可能であり、前記サーバの前記情報送信部は、さらに前記情報記録部が記録した前記広告画像を前記情報表示装置へ送信可能である
請求項５または請求項６に記載の情報表示システム。
【発明の詳細な説明】
【技術分野】
【０００１】
本発明は情報表示システムに関する。詳しくは、例えば、広告情報を表示可能な液晶表示パネルを備えた自動販売機を利用した情報表示システムに係るものである。
【背景技術】
【０００２】
駅構内、建物の壁面、路上などに設置され、ネットワークに接続された、「デジタルサイネージ」と呼ばれる情報表示装置を用いて様々な情報が発信されている。
【０００３】
また、デジタルサイネージに表示される情報は、設置者から利用者や通行人への案内情報や広告情報などであり、広告媒体として、特定の時間と場所を指定して表示でき、ポスターのように入れ替える手間がかからないという利点がある。
【０００４】
従って、従来、デジタルサイネージを利用した様々な技術が提案されている。例えば、特許文献１には、ＩＣカードを使用した情報提供システムが記載されている。
【０００５】
すなわち、特許文献１に記載の情報提供システムは、デジタルサイネージなどの情報提供端末に備えられた通信部とＩＣカードとの通信情報を管理サーバに蓄積し、ＰＣなどのクライアント端末から管理サーバをアクセスしてサーバからＩＣカード蓄積情報あるいはその関連情報を取得可能としたものである。
【０００６】
ここで、情報提供端末がカードＩＤ、およびＩＣカードに対する提供情報または提供情報ＩＤを管理サーバに送信し、管理サーバがカードＩＤと提供情報とを対応付けてデータベースに管理し、クライアント端末からの情報要求に応じて、ＩＣカードに対する提供情報をデータベースから取得してクライアント端末に提供する。
【先行技術文献】
【特許文献】
【０００７】
【特許文献１】特開２００９‐１３４６９４号公報
【発明の概要】
【発明が解決しようとする課題】
【０００８】
しかしながら、デジタルサイネージは、前述のように駅構内や路上などに設置されるが、駅構内や路上などの公共の場所では視聴者すなわち携帯端末のユーザが特定されないため、不特定多数のユーザに対する情報を表示しており、特許文献１に記載の情報提供システムにおいても、デジタルサイネージは不特定多数のユーザに対する情報を表示している。
【０００９】
そして、不特定多数向けの情報は、デジタルサイネージが設置された場所の風景の一部となりやすいため、ユーザの視界には入るもののユーザの意識はその情報に向き難かった。
そのため、ユーザの意識を向けさせる情報を表示できるシステムが求められていた。
【００１０】
本発明は、以上の点に鑑みて創案されたものであり、ユーザの意識を向けさせる情報を表示できる情報表示システムを提供することを目的とする。
【課題を解決するための手段】
【００１１】
上記の目的を達成するために、本発明の情報表示システムは、所定の距離まで情報を発信可能な無線通信機器の識別情報である無線通信機器識別情報に、同無線通信機器が設置された位置から所定の範囲内に設置された情報表示装置の識別情報である情報表示装置識別情報を関連付けて記録可能な無線通信機器識別情報記録部と、ユーザ個人の属性に関する情報であるユーザ個人属性情報を記録可能なユーザ個人属性情報記録部と、受信した無線通信機器識別情報と前記無線通信機器識別情報記録部が記録した無線通信機器識別情報とを照合可能な識別情報照合部と、該識別情報照合部が照合して両方の無線通信機器識別情報が一致した場合に、前記ユーザ個人属性情報記録部が記録したユーザ個人属性情報を、同無線通信機器識別情報と関連付けられた情報表示装置識別情報の情報表示装置へ送信可能なユーザ個人属性情報送信部とを有する携帯端末と、情報を表示可能な情報表示部と、該情報表示部が表示する情報を、基準となる個人の属性に関する情報である基準個人属性情報に関連付けて記録可能な属性対応情報記録部と、受信した前記ユーザ個人属性情報と前記属性対応情報記録部が記録した基準個人属性情報とを対比し、前記ユーザ個人属性情報が適合した前記基準個人属性情報と関連付けられて前記属性対応情報記録部が記録した情報を前記情報表示部に表示させる制御が可能な表示制御部とを有する前記情報表示装置とを備える。
【００１２】
ここで、識別情報照合部が照合して両方の無線通信機器識別情報が一致した場合に、ユーザ個人属性情報記録部が記録したユーザ個人属性情報を、無線通信機器識別情報と関連付けられた情報表示装置識別情報の情報表示装置へ送信可能なユーザ個人属性情報送信部によって、設置された無線通信機器の識別情報と一致する無線通信機器識別情報を記録した携帯端末のユーザの個人属性情報を引き出すことができる。
【００１３】
また、受信したユーザ個人属性情報と属性対応情報記録部が記録した基準個人属性情報とを対比し、ユーザ個人属性情報が適合した基準個人属性情報と関連付けられて属性対応情報記録部が記録した情報を情報表示部に表示させる制御が可能な表示制御部によって、携帯端末のユーザの属性に適した情報を情報表示部に表示させることができる。
【００１４】
また、無線通信機器が設置された位置から所定の範囲内に設置された情報表示装置によって、無線通信機器が設置された位置から所定の距離内に位置した、携帯端末を携帯するユーザに情報を見せ易い。
【００１５】
また、本発明の情報表示システムにおいて、ユーザ個人属性情報送信部は、さらに、ユーザ個人属性情報記録部が記録したユーザ個人属性情報に含まれる、出身地と居住地域が異なる場合に、出身地を送信可能であるものとすることができる。
【００１６】
この場合、ユーザの故郷に関する情報を情報表示部に表示させることができる。
【００１７】
さらに、本発明の情報表示システムにおいて、属性対応情報記録部が基準個人属性情報に関連付けて記録した情報は、基準個人属性情報に含まれる国籍に関連した公用語に基づいて情報表示部が表示する情報であるものとすることができる。
【００１８】
この場合、情報表示部が表示する情報を理解できるユーザを増やすことができる。
【００１９】
また、本発明の情報表示システムにおいて、携帯端末は、識別情報照合部が照合して両方の無線通信機器識別情報が一致した場合に、携帯端末の位置情報を送信可能な位置情報送信部を有し、情報表示装置は、地図に関する情報である地図情報を位置情報と関連付けて記録可能な地図情報記録部を有し、情報表示装置の情報表示部は、携帯端末の位置情報を受信した場合に、その位置情報に相当する、地図情報記録部が記録した地図情報を表示可能であるものとすることができる。
【００２０】
この場合、携帯端末を携帯するユーザは、自分の携帯端末を見なくても自分の現在の位置を確認することができる。
【００２１】
また、本発明の情報表示システムは、情報表示装置の情報表示部が表示する情報を記録可能な情報記録部と、無線通信機器識別情報に、情報表示装置識別情報を関連付けて記録可能な無線通信機器識別情報記録部と、ユーザ個人属性情報送信部が送信したユーザ個人属性情報を受信した場合に、情報記録部が記録した情報を、受信した無線通信機器識別情報と関連付けられた情報表示装置識別情報の情報表示装置へ送信可能な情報送信部とを有するサーバを備え、携帯端末のユーザ個人属性情報送信部は、識別情報照合部が照合して両方の無線通信機器識別情報が一致した場合に、さらにサーバへ、ユーザ個人属性情報記録部が記録したユーザ個人属性情報および一致した無線通信機器識別情報を送信可能であるものとすることができる。
【００２２】
この場合、携帯端末を携帯するユーザが、無線通信機器が設置された位置から所定の距離内に位置したときに、新たな情報をユーザに見せることができる。
【００２３】
また、本発明の情報表示システムにおいて、サーバの情報記録部は、無線通信機器識別情報と関連付けて、無線通信機器識別情報の無線通信機器が設置された地域に関する広告情報を記録可能であるものとすることができる。
【００２４】
この場合、携帯端末を携帯するユーザが、無線通信機器が設置された位置から所定の距離内に位置したときに、無線通信機器が設置された地域に関する広告情報をユーザに見せることができる。
【００２５】
また、本発明の情報表示システムにおいて、情報表示装置は自動販売機であり、情報表示装置は、販売される商品に関する画像を表示可能な画像表示部と、画像表示部の表示方向と同じ方向を撮像可能であり、かつ、画像表示部の表示方向と同じ方向上で画像表示部から所定の範囲内に位置する生物体を検知可能な撮像検知部と、撮像検知部が撮像して得られた撮像情報をサーバへ送信可能な撮像情報送信部と、広告画像を受信可能な広告画像受信部と、広告画像受信部が受信した広告画像を記録可能な広告画像記録部と、撮像検知部が検知した生物体が所定の時間以上画像表示部の表示方向と同じ方向上で画像表示部から所定の範囲内に位置するか否かを判定可能な画像判定部と、画像判定部が生物体は所定の時間以上位置すると判定した場合に、受信した、購入される可能性が高い商品の情報および購入される可能性が低い商品の情報を含む最適化情報に基づいて画像表示部の表示を切替える制御が可能な、または画像判定部が生物体は所定の時間未満位置すると判定した場合に、広告画像記録部が記録した広告画像を画像表示部に表示させる制御が可能な、画像制御部とを有し、サーバは、撮像情報送信部が送信した撮像情報を受信可能な撮像情報受信部と、撮像情報受信部が受信した撮像情報を記録可能な撮像情報記録部と、情報表示装置に関する情報であり販売される商品に関する情報を含む情報表示装置情報を記録可能な情報表示装置情報記録部と、撮像情報記録部が記録した撮像情報と情報表示装置情報記録部が記録した情報表示装置情報とに基づいて、購入される可能性が高い商品と購入される可能性が低い商品を最適化情報として決定可能な最適化処理部と、最適化処理部が決定した最適化情報を情報表示装置へ送信可能な最適化情報送信部とを有し、サーバの情報記録部は、さらに画像表示部が表示する広告画像を記録可能であり、サーバの情報送信部は、さらに情報記録部が記録した広告画像を情報表示装置へ送信可能であるものとすることができる。
【００２６】
この場合、商品画像と広告画像を有効に表示することができ、商品売上と広告収益の両方を増大させることができる。
【発明の効果】
【００２７】
本発明に係る情報表示システムは、ユーザの意識を向けさせる情報を表示できる。
【図面の簡単な説明】
【００２８】
【図１】本発明を適用した情報表示システムの構成の一例を示す概略図である。
【図２Ａ】本発明を適用した情報表示システムにおいて、スマートフォンを携帯したユーザがビーコンに近づく様子の一例を示す概略図である。
【図２Ｂ】本発明を適用した情報表示システムにおいて、スマートフォンを携帯したユーザがビーコンに近づき、自動販売機の情報表示部がユーザの属性に適した情報を表示した様子の一例を示す概略図である。
【発明を実施するための形態】
【００２９】
以下、本発明の実施の形態について図面を参照しながら説明し、本発明の理解に供する。
図１は、本発明を適用した情報表示システムの構成の一例を示す概略図である。また、図２Ａは、本発明を適用した情報表示システムにおいて、スマートフォンを携帯したユーザがビーコンに近づく様子の一例を示す概略図である。また、図２Ｂは、本発明を適用した情報表示システムにおいて、スマートフォンを携帯したユーザがビーコンに近づき、自動販売機の情報表示部がユーザの属性に適した情報を表示した様子の一例を示す概略図である。
【００３０】
図１に示す本発明の情報表示システム１は、スマートフォン２と、スマートフォン２とインターネット２４を介して通信可能な自動販売機３と、スマートフォン２および自動販売機３とインターネット２４を介して通信可能なサーバ４とを備える。
また、図１に示すように、本発明の情報表示システム１は、ビーコン５を利用する。
【００３１】
ここで、スマートフォンは携帯端末の一例である。また、ビーコンは無線通信機器の一例である。
また、自動販売機は情報表示装置の一例である。
【００３２】
また、ビーコン５は、ビーコン５から所定の距離までビーコン５の識別情報であるビーコン識別情報を発信可能である。また、自動販売機３は、ビーコン５が設置された位置から所定の範囲内に設置されている。
【００３３】
ここで、ビーコン５が情報を発信可能な「所定の距離」とは、例えば２ｃｍ、２ｍ、５ｍおよび１０ｍであるが、ここでは所定の距離が２ｍである場合を説明する。
また、自動販売機３が設置される「所定の範囲」とは、ビーコン５が自動販売機３に設置される場合を含み、例えばビーコン５が設置された位置から２ｍ以内である。
【００３４】
また、スマートフォン２は、ビーコン識別情報データベース６を有する。
ここで、ビーコン識別情報データベース６は、ビーコン識別情報に、自動販売機３の識別情報である自動販売機識別情報を関連付けて記録可能である。
また、ビーコン識別情報データベースは無線通信機器識別情報記録部の一例である。
【００３５】
また、スマートフォン２は、ユーザ個人属性情報データベース７を有する。
ここで、ユーザ個人属性情報データベース７は、ユーザ個人の属性に関する情報であるユーザ個人属性情報を記録可能である。
また、ユーザ個人属性情報データベースはユーザ個人属性情報記録部の一例である。
【００３６】
また、ユーザ個人属性情報は、具体的には例えば、ユーザ個人の、性別、国籍、年齢、出身地、居住地域、職業である。
【００３７】
また、スマートフォン２は、ビーコン識別情報を受信可能なビーコン識別情報受信部８を有する。
【００３８】
また、スマートフォン２は、識別情報照合部９を有する。
ここで、識別情報照合部９は、ビーコン識別情報受信部８が受信したビーコン識別情報とビーコン識別情報データベース６が記録したビーコン識別情報とを照合可能である。
【００３９】
また、スマートフォン２は、ユーザ個人属性情報送信部１０を有する。
ここで、ユーザ個人属性情報送信部１０は、識別情報照合部９が照合して両方のビーコン識別情報が一致した場合に、ユーザ個人属性情報データベース７が記録したユーザ個人属性情報を、一致したビーコン識別情報と関連付けられた自動販売機識別情報の自動販売機３へ、インターネット２４を介して送信可能である。
【００４０】
また、ユーザ個人属性情報送信部１０は、さらに、ユーザ個人属性情報データベース７が記録したユーザ個人属性情報に含まれる、出身地と居住地域が異なる場合に、出身地を送信可能である。
【００４１】
また、自動販売機３は、情報を表示可能な情報表示部１１を有する。
ここで、情報表示部１１は、具体的には例えば液晶表示パネルである。
【００４２】
また、情報表示部１１が表示する情報は、例えば、ビーコン５が設置された地域に関する広告情報、あるいは観光名所への案内情報である。
【００４３】
また、自動販売機３は、属性対応情報データベース１２を有する。
ここで、属性対応情報データベース１２は、情報表示部１１が表示する情報を、基準となる個人の属性に関する情報である基準個人属性情報に関連付けて記録可能である。
また、属性対応情報データベースは属性対応情報記録部の一例である。
【００４４】
また、属性対応情報データベース１２が基準個人属性情報に関連付けて記録した情報は、基準個人属性情報に含まれる国籍に関連した公用語に基づいて情報表示部１１が表示する情報である。
具体的には例えば、基準個人属性情報に含まれる国籍がフランスであれば、フランスに関連した公用語であるフランス語に基づいて、情報表示部１１が表示する情報である。
【００４５】
ここで、情報表示部１１は、必ずしも基準個人属性情報に含まれる国籍に関連した公用語に基づいて情報を表示しなくてもよく、例えば、ユーザが選択した言語で情報を表示することもできる。
【００４６】
また、自動販売機３は、ユーザ個人属性情報を受信可能なユーザ個人属性情報受信部１３を有する。
【００４７】
また、自動販売機３は、表示制御部１４を有する。
ここで、表示制御部１４は、ユーザ個人属性情報受信部１３が受信したユーザ個人属性情報と、属性対応情報データベース１２が記録した基準個人属性情報とを対比し、ユーザ個人属性情報が適合した基準個人属性情報と関連付けられて属性対応情報データベース１２が記録した情報を、情報表示部１１に表示させる制御が可能である。
【００４８】
また、スマートフォン２は、位置情報検出部１５を有する。
ここで、位置情報検出部１５は、例えばＧＰＳ（Ｇｌｏｂａｌ  Ｐｏｓｉｔｉｏｎｉｎｇ  Ｓｙｓｔｅｍ＝全地球測位システム）を構成する複数のＧＰＳ衛星から提供される信号を受信して、スマートフォン２の位置情報を検出可能である。
【００４９】
また、スマートフォン２は、位置情報送信部１６を有する。
ここで、位置情報送信部１６は、識別情報照合部９が照合して両方のビーコン識別情報が一致した場合に、位置情報検出部１５が検出したスマートフォン２の位置情報を、インターネット２４を介して自動販売機３へ送信可能である。
【００５０】
また、自動販売機３は、地図情報データベース１７を有する。
ここで、地図情報データベース１７は、地図に関する情報である地図情報を位置情報と関連付けて記録可能である。
【００５１】
また、自動販売機３は、位置情報受信部１８を有する。
ここで、位置情報受信部１８は、スマートフォン２の位置情報を受信可能である。
【００５２】
また、自動販売機３の情報表示部１１は、位置情報受信部１８がスマートフォン２の位置情報を受信した場合に、スマートフォン２の位置情報に相当する、地図情報データベース１７が記録した地図情報を表示可能である。
【００５３】
また、サーバ４は、コンテンツデータベース１９を有する。
ここで、コンテンツデータベース１９は、自動販売機３の情報表示部１１が表示する情報を記録可能である。
また、コンテンツデータベースは情報記録部の一例である。
【００５４】
また、サーバ４のコンテンツデータベース１９は、ビーコン識別情報と関連付けて、このビーコン識別情報のビーコン５が設置された地域に関する広告情報を記録可能である。
【００５５】
また、サーバ４のコンテンツデータベース１９は、ビーコン５が設置された地域に関係ない広告情報を記録することもでき、また、広告情報には自動販売機３が広告画像を表示するときの日程（スケジュール）も含まれる。
【００５６】
また、サーバ４は、ビーコン識別情報データベース２０を有する。
ここで、ビーコン識別情報データベース２０は、ビーコン識別情報に、自動販売機識別情報を関連付けて記録可能である。
【００５７】
また、スマートフォン２のユーザ個人属性情報送信部１０は、識別情報照合部９が照合して両方のビーコン識別情報が一致した場合に、さらにサーバ４へ、ユーザ個人属性情報データベース７が記録したユーザ個人属性情報および一致したビーコン識別情報を送信可能である。
【００５８】
また、サーバ４は、ユーザ個人属性情報受信部２１を有する。
ここで、ユーザ個人属性情報受信部２１は、ユーザ個人属性情報送信部１０が送信したユーザ個人属性情報を受信可能である。
【００５９】
また、サーバ４は、ビーコン識別情報受信部２２を有する。
ここで、ビーコン識別情報受信部２２は、ユーザ個人属性情報送信部１０が送信したビーコン識別情報を受信可能である。
【００６０】
また、サーバ４は、コンテンツ送信部２３を有する。
ここで、コンテンツ送信部２３は、ユーザ個人属性情報送信部１０が送信したユーザ個人属性情報をユーザ個人属性情報受信部２１が受信した場合に、コンテンツデータベース１９が記録した情報を、受信したビーコン識別情報と関連付けられた自動販売機識別情報の自動販売機３へ送信可能である。
また、コンテンツ送信部は情報送信部の一例である。
【００６１】
なお、コンテンツ送信部２３が、コンテンツデータベース１９が記録した情報を、受信したビーコン識別情報と関連付けられた自動販売機識別情報の自動販売機３へ送信可能であれば、ユーザ個人属性情報送信部１０は、必ずしもサーバ４へユーザ個人属性情報および一致したビーコン識別情報を送信しなくてもよい。
【００６２】
例えば、スマートフォン２は、識別情報照合部９が照合して両方のビーコン識別情報が一致した場合に、コンテンツデータベース１９が記録した情報を自動販売機３へ送信するよう要求する送信要求を、一致したビーコン識別情報と共にサーバ４へ送信可能な情報送信要求部を有することもできる。
【００６３】
また、自動販売機３は、一般の自動販売機の背面パネルが除去され、代わりに液晶パネル２６が取付けられたものである。
すなわち、背面パネルに取付けられている商品見本も背面パネルと一緒に除去されている。
【００６４】
また、図２Ａに示すように、液晶パネル２６は、販売される商品に関する画像である商品画像２６Ａを表示可能である。
ここで、液晶パネルは画像表示部の一例である。
また、液晶パネル２６Ａは、ユーザが選択した言語で情報を表示することができる。
【００６５】
また、自動販売機３の液晶パネル２６が表示する商品画像２６Ａは、図示していないが、サーバ４の商品画像データベースに記録されており、サーバ４の商品画像送信部からインターネット２４を介して自動販売機３へ送信される画像である。
【００６６】
また、自動販売機３は、商品画像２６Ａに対応して、上段、中段および下段の三段に配置された商品選択スイッチ３Ｂを有する。
【００６７】
また、自動販売機３の前面上部には、透明な前面パネル３Ａが取付けられている。
【００６８】
また、自動販売機３は、画像センサーカメラ２８を有する。
ここで、画像センサーカメラ２８は、液晶パネル２６の表示方向と同じ方向を撮像可能である。
【００６９】
また、画像センサーカメラ２８は、液晶パネル２６の表示方向と同じ方向上で液晶パネル２６から所定の範囲内例えば液晶パネル２６から半径５ｍの範囲内に位置する人間などの生物体を、例えば赤外線を利用して検知可能である。
また、画像センサーカメラは撮像検知部の一例である。
【００７０】
また、自動販売機３は、画像センサーカメラ２８が撮像して得られた撮像情報をサーバ４へ、インターネット２４を介して送信可能な撮像情報送信部３５を有する。
ここで、撮像情報には、赤外線を利用して検知した情報も含まれるものとする。赤外線を利用して人間を検知することで、人間の数を計測し易くなる。
【００７１】
また、自動販売機３は、サーバ４から送信された広告画像を受信可能な広告画像受信部４３を有する。
また、自動販売機３は、広告画像受信部４３が受信した広告画像を記録可能な広告画像データベース４４を有する。
ここで、広告画像データベースは広告画像記録部の一例である。
【００７２】
また、自動販売機３は、画像判定部４２を有する。
ここで、画像判定部４２は、画像センサーカメラ２８が検知した人間が、所定の時間以上例えば３秒以上、液晶パネル２６の表示方向と同じ方向上で液晶パネル２６から１ｍ以内に位置するか否かを判定可能である。
【００７３】
また、自動販売機３は、画像制御部２７を有する。
ここで、画像制御部２７は、画像判定部４２が人間は例えば３秒以上位置すると判定した場合に、サーバ４から最適化情報受信部４１が受信した最適化情報に基づいて液晶パネル２６の表示を切替える制御が可能である。
あるいは、画像制御部２７は、画像判定部４２が人間は例えば３秒未満位置すると判定した場合に、広告画像データベース４４が記録した広告画像を液晶パネル２６に表示させる制御が可能である。
【００７４】
また、自動販売機３は、液晶パネル２６が広告画像を表示した回数や表示した時間などの広告表示実績を計測可能な広告表示実績計測部を有することもできる。
また、自動販売機３は、広告表示計測部が計測した広告表示実績を、インターネット２４を介してサーバ４へ送信可能な広告表示実績送信部を有することもできる。
【００７５】
また、サーバ４は、自動販売機３の撮像情報送信部３５が送信した撮像情報を受信可能な撮像情報受信部３６を有する。
【００７６】
また、サーバ４は、撮像情報受信部３６が受信した撮像情報を記録可能な撮像情報データベース３７を有する。
ここで、撮像情報データベースは撮像情報記録部の一例である。
【００７７】
また、撮像情報は、具体的には例えば、自動販売機３の液晶パネル２６から半径５ｍ以内を通る人間である通行人の数すなわち通行量や、通行人の男女比である。
【００７８】
また、サーバ４は、自動販売機情報データベース３８を有する。
ここで、自動販売機情報データベース３８は、自動販売機３に関する情報であり販売される商品に関する情報を含む自動販売機情報を記録可能である。
また、自動販売機情報データベースは情報表示装置情報記録部の一例である。
【００７９】
自動販売機情報は、具体的には例えば、自動販売機３が販売する各商品の、購入者の属性情報と関連付けられた１月当たりの売上情報、自動販売機３の位置情報、自動販売機３が配置された場所の周辺情報、温度センサーや湿度センサーなどの各種センサーが自動販売機の配置場所の環境を検知して得られた検知結果情報、自動販売機３の液晶パネル２６が表示する広告画像の１日当たり、もしくは１月当たりの広告料である。
【００８０】
また、自動販売機３が配置された場所の周辺情報は具体的には例えば、住宅地域、商業地域などの地域種別、店舗数、自動販売機配置数である。
また、購入者の属性情報は具体的には例えば、性別、年齢である。
【００８１】
また、広告主は、通信端末を用いてサーバ４にアクセスし、サーバ４の自動販売機情報データベース３８が記録した、自動販売機３の位置情報や自動販売機３の液晶パネル２６が表示する広告画像の１日当たりもしくは１月当たりの広告料を参照して、広告を出したい、すなわち広告画像を表示させたい自動販売機を決定することができる。
【００８２】
また、サーバ４は、最適化処理部３９を有する。
ここで、最適化処理部３９は、撮像情報データベース３７が記録した撮像情報と自動販売機情報データベース３８が記録した自動販売機情報とに基づいて、人工知能機能を利用して、購入される可能性が高い商品と購入される可能性が低い商品を最適化情報として決定可能である。
【００８３】
また、最適化処理部３９は、具体的には例えば、撮像情報に含まれる、自動販売機３の液晶パネル２６から半径５ｍ以内を通る人間である通行人の数すなわち通行量や通行人の男女比と、自動販売機情報に含まれる、自動販売機３が販売する各商品の、購入者の属性情報と関連付けられた１月当たりの売上情報並びに自動販売機３の配置場所の環境の温度や湿度とに基づいて、購入される可能性が高い商品と購入される可能性が低い商品を最適化情報として決定可能である。
【００８４】
また、ここで言う「購入される可能性が高い商品」および「購入される可能性が低い商品」はそれぞれ、単一の種類あるいは単一の銘柄の商品だけでなく、複数の種類あるいは複数の銘柄の商品も含まれている。
【００８５】
最適化処理部３９は、例えば、売上上位３つの銘柄の商品と売上下位３つの銘柄の商品を決定する。
【００８６】
また、自動販売機３の配置場所の環境の温度や湿度は、例えば自動販売機３に内蔵された温度センサーや湿度センサーによって検知される。
【００８７】
また、購入される可能性が高い商品と購入される可能性が低い商品を決定することで、購入される可能性が高い商品をさらに増やしたり、購入される可能性が低い商品を、購入される可能性が高い商品あるいは新しい商品と入れ替えたりする補充スケジュールを作成できる。
【００８８】
また、サーバ４は、最適化処理部３９が決定した前記最適化情報を前記情報表示装置へ、インターネット２４を介して送信可能な最適化情報送信部４０を有する。
【００８９】
また、サーバ４のコンテンツデータベース１９は、さらに液晶パネル２６が表示する広告画像を記録可能である。この広告画像は、ビーコン５が設置された地域に関する内容に限定されない。
また、サーバ４のコンテンツ送信部２３は、さらにコンテンツデータベース１９が記録した広告画像を、インターネット２４を介して自動販売機３へ送信可能である。
【００９０】
また、自動販売機３は、自動販売機３の正常な作動状態に関する情報である正常作動状態情報を記録可能な正常作動状態情報データベース３４を有する。
【００９１】
また、自動販売機３は、液晶パネル２６の輝度を検知可能な輝度センサー２９および、液晶パネル２６の温度を検知可能な温度センサー３０を有する。
【００９２】
また、自動販売機３は、判定部３１を有する。
ここで、判定部３１は、輝度センサー２９や温度センサー３０が自動販売機３の作動状態を検知して得られた検知結果情報と、正常作動状態情報データベース３４が記録した正常作動状態情報とを対比して、検知結果情報が正常作動状態情報と異なるか否かを判定可能である。
この場合、検知結果情報は、輝度情報と温度情報である。
【００９３】
また、自動販売機３は、通知部３２を有する。
ここで、判定部３１が、検知結果情報は正常作動状態情報と異なると判定した場合、通知部３２は、検知結果情報が正常作動状態情報と異なることを示す異常情報を、検知結果情報と共にインターネット２４を介してサーバ４へ通知可能である。
【００９４】
また、具体的な通知方法としては、例えば電子メールや、ソーシャル・ネットワーキング・サービス（ＳＮＳ）を利用した通知方法が挙げられる。
【００９５】
また、本発明で言う「検知結果情報が正常作動状態情報と異なる」とは、例えば検知結果情報が温度情報であって温度情報が８０℃であり、温度情報に対応する正常作動状態情報が４０〜５０℃であるというように、検知結果情報と正常作動状態情報との間に一致点がないことを意味する。
【００９６】
また、例えば検知結果情報が自動販売機３の液晶パネル２６の輝度情報であり、輝度情報に対応する正常作動状態情報との間に一致点がない場合、液晶パネル２６の画面全体が明るくなる、いわゆる「ホワイトアウト」現象が生じていたり、液晶パネル２６の画面全体が暗くなる、いわゆる「ブラックアウト」現象が生じていたりする可能性が高い。
【００９７】
また、自動販売機３は、電源制御部３３を有する。
ここで、電源制御部３３は、判定部３１が、検知された温度に関する情報は正常作動状態情報と異なると判定した場合、自動販売機３の電源を切る制御が可能である。
【００９８】
また、サーバ４は、いわゆる「コンテンツマネジメントシステム（ＣＭＳ）」により、コンテンツデータベース１９が記録した広告情報や広告画像の月額や広告主からの入金状況、広告主への広告料の請求状況などを一元管理することができる。
【００９９】
また、いわゆる「コンテンツマネジメントシステム（ＣＭＳ）」により、広告主やサーバの管理者は、ログインを行ない、自動販売機３の液晶パネル２６が広告画像をどのように表示するかを確認することができる。
【０１００】
また、自動販売機３の管理者は、サーバ４に接続された表示装置の管理画面で、自動販売機３の情報表示部１１や液晶パネル２６が広告画像をどのように表示するかを確認することができる。
【０１０１】
また、自動販売機３から送信される広告表示実績を、サーバ４は、広告主へ電子メールなどで通知することができる。
【０１０２】
ここで、ユーザ個人属性情報送信部は、必ずしもユーザ個人属性情報データベースが記録したユーザ個人属性情報に含まれる、出身地と居住地域が異なる場合に、出身地を送信可能としなくてもよい。
【０１０３】
しかし、ユーザ個人属性情報送信部が、出身地と居住地域が異なる場合に、出身地を送信可能であれば、ユーザの故郷に関する情報を情報表示部に表示させることができるので好ましい。
【０１０４】
また、属性対応情報データベースが基準個人属性情報に関連付けて記録した情報は、必ずしも基準個人属性情報に含まれる国籍に関連した公用語に基づいて情報表示部が表示する情報でなくてもよい。
【０１０５】
しかし、属性対応情報データベースが基準個人属性情報に関連付けて記録した情報が、基準個人属性情報に含まれる国籍に関連した公用語に基づいて情報表示部が表示する情報であれば、ユーザにとって慣れ親しんだ言語で情報が表示されるので、情報表示部が表示する情報を理解できるユーザを増やすことができて好ましい。
【０１０６】
また、自動販売機は、必ずしも地図情報データベースを有していなくてもよい。
しかし、自動販売機が地図情報データベースを有していれば、位置情報送信部を有するスマートフォンを携帯するユーザは、自分のスマートフォンを見なくても自分の現在の位置を確認することができるので好ましい。
【０１０７】
また、本発明の情報表示システムは、必ずしも、コンテンツデータベースとビーコン識別情報データベースと、コンテンツ送信部とを有するサーバを備えていなくてもよい。
また、スマートフォンのユーザ個人属性情報送信部は、識別情報照合部が照合して両方のビーコン識別情報が一致した場合に、さらにサーバへ、ユーザ個人属性情報データベースが記録したユーザ個人属性情報および一致したビーコン識別情報を送信可能としなくてもよい。
【０１０８】
しかし、本発明の情報表示システムが、このようなサーバを備え、スマートフォンのユーザ個人属性情報送信部が、さらにサーバへ、ユーザ個人属性情報データベースが記録したユーザ個人属性情報および一致したビーコン識別情報を送信可能であれば、スマートフォンを携帯するユーザが、ビーコンが設置された位置から所定の距離内に位置したときに、新たな情報をユーザに見せることができる。
【０１０９】
また、サーバのコンテンツデータベースは、必ずしもビーコン識別情報と関連付けて、このビーコン識別情報のビーコンが設置された地域に関する広告情報を記録可能でなくてもよい。
【０１１０】
しかし、サーバのコンテンツデータベースが、このような広告情報を記録可能であれば、スマートフォンを携帯するユーザが、ビーコンが設置された位置から所定の距離内に位置したときに、ビーコンが設置された地域に関する広告情報をユーザに見せることができるので好ましい。
【０１１１】
また、自動販売機すなわち情報表示装置は、必ずしも画像センサーカメラすなわち撮像検知部や、画像判定部や、画像制御部を有していなくてもよく、サーバは、必ずしも最適化処理部を有していなくてもよい。
【０１１２】
しかし、情報表示装置が撮像検知部や、画像判定部や、画像制御部を有しており、サーバが最適化処理部を有していれば、商品画像と広告画像を有効に表示することができ、商品売上と広告収益の両方を増大させることができるので好ましい。
【０１１３】
次に、本発明の情報表示システムの動きを説明する。
ユーザは、本発明の情報表示システムを利用するための専用アプリケーションプログラムをスマートフォン２にインストールする。
【０１１４】
プログラムのインストールが完了すると、ビーコン２の識別情報を記録可能なビーコン識別情報記録機能がスマートフォン２に付与される。
すなわち、スマートフォン２は、ビーコン識別情報データベース６を有することになる。
【０１１５】
また、プログラムをインストールした時点で、ビーコン識別情報データベース６は、すでにビーコン識別情報に、自動販売機識別情報を関連付けて記録している。
【０１１６】
また、プログラムのインストールが完了すると、ユーザ個人属性情報を記録可能なユーザ個人属性情報記録機能がスマートフォン２に付与される。
すなわち、スマートフォン２は、ユーザ個人属性情報データベース７を有することになる。
【０１１７】
また、ユーザは、自分の属性情報例えば、性別、国籍、年齢、出身地、居住地域および職業をスマートフォン２に入力する。
ここで、ユーザ個人属性情報は、例えば国籍がアメリカ合衆国、出身地がアメリカ合衆国カリフォルニア州、居住地域が日本国福岡県である。
【０１１８】
そして、ユーザ個人属性情報データベース７は、ユーザが入力したユーザ個人属性情報を記録する。
【０１１９】
本発明の情報表示システムを利用するための専用アプリケーションプログラムのインストールが完了したスマートフォン２を携帯したユーザ２５が、自動販売機３の上部に設置されたビーコン５から半径２ｍの範囲内に入ると、図２Ａに示すように、スマートフォン２はビーコン５からビーコン識別情報を受信する。
すなわち、スマートフォン２のビーコン識別情報受信部８がビーコン識別情報を受信する。
【０１２０】
次に、スマートフォン２の識別情報照合部９が、ビーコン識別情報受信部８が受信したビーコン識別情報と、ビーコン識別情報データベース６が記録したビーコン識別情報とを照合する。
【０１２１】
そして、識別情報照合部９が照合して両方のビーコン識別情報が一致した場合に、スマートフォン２のユーザ個人属性情報送信部１０は、ユーザ個人属性情報データベース７が記録したユーザ個人属性情報を、一致したビーコン識別情報と関連付けられた自動販売機識別情報の自動販売機３へ、インターネット２４を介して送信する。
【０１２２】
ここで、ユーザ個人属性情報データベース７が記録したユーザ個人属性情報に含まれる、出身地「アメリカ合衆国カリフォルニア州」と居住地域「日本国福岡県」が異なるので、スマートフォン２のユーザ個人属性情報送信部１０は、ユーザ個人属性情報として出身地「アメリカ合衆国カリフォルニア州」を自動販売機３へ、インターネット２４を介して送信する。
【０１２３】
一方、自動販売機３のユーザ個人属性情報受信部１３が、スマートフォン２のユーザ個人属性情報送信部１０から送信された、ユーザ２５のユーザ個人属性情報を受信する。
【０１２４】
そして、自動販売機３の表示制御部１４は、ユーザ個人属性情報受信部１３が受信したユーザ個人属性情報と、属性対応情報データベース１２が記録した基準個人属性情報とを対比し、ユーザ個人属性情報が適合した基準個人属性情報に関連付けて属性対応情報データベース１２が記録した情報を、情報表示部１１に表示させる。
【０１２５】
図２Ｂに示す例では、ユーザ２５の国籍がアメリカ合衆国であるので、アメリカ合衆国に関連した公用語である英語に基づいて、情報表示部１１が情報を表示している。
【０１２６】
すなわち、図２Ａに示すように、ユーザ２５がビーコン５から半径２ｍの範囲内に入るまでは、自動販売機３の情報表示部１１は日本語に基づいて「ようこそ」という文字を表示している。
【０１２７】
しかし、ユーザ２５がビーコン５から半径２ｍの範囲内に入り、自動販売機３のユーザ個人属性情報受信部１３が、ユーザ２５のユーザ個人属性情報を受信すると、ユーザ個人属性情報の国籍「アメリカ合衆国」と適合した基準個人属性情報の国籍「アメリカ合衆国」に関連付けて属性対応情報データベース１２が記録した、「ようこそ」に対応する英語表現である「Ｗｅｌｃｏｍｅ」という文字を、図２Ｂに示すように情報表示部１１が表示する。
【０１２８】
また、スマートフォン２のユーザ個人属性情報送信部１０は、ユーザ個人属性情報として出身地「アメリカ合衆国カリフォルニア州」を自動販売機３へ送信するので、図示していないが、ユーザ個人属性情報の出身地「アメリカ合衆国カリフォルニア州」と適合した基準個人属性情報の地域「アメリカ合衆国カリフォルニア州」に関連付けて属性対応情報データベース１２が記録した、アメリカ合衆国カリフォルニア州に関する情報を情報表示部１１が表示する。
【０１２９】
従って、ユーザ２５は、単にビーコン５が上部に設置された自動販売機３の近くを通っただけで、突然、自分に適した情報を自動販売機３が表示し始めるので、意識してその情報を見てしまう。
【０１３０】
また、スマートフォン２のユーザ個人属性情報送信部１０が、識別情報照合部９が照合して両方のビーコン識別情報が一致した場合に、さらにサーバ４へ、ユーザ個人属性情報データベース７が記録したユーザ個人属性情報および一致したビーコン識別情報を送信する。
【０１３１】
そして、サーバ４のコンテンツ送信部２３が、ユーザ個人属性情報送信部１０が送信したユーザ個人属性情報をユーザ個人属性情報受信部２１が受信した場合に、コンテンツデータベース１９が記録した情報を、受信したビーコン識別情報と関連付けられた自動販売機識別情報の自動販売機３へ送信する。
【０１３２】
従って、自動販売機３の情報表示部１１は、ユーザ２５がビーコン５から半径２ｍの範囲内に入ると、ユーザ２５の個人属性情報の国籍「アメリカ合衆国」や、ユーザ２５の個人属性情報の出身地「アメリカ合衆国カリフォルニア州」に関連した情報のみならず、コンテンツ情報という新たな情報をユーザ２５に見せることができる。
【０１３３】
そして、自動販売機３が表示する情報をユーザ２５が興味を持ってみることで、ユーザ２５を自動販売機３の前に立ち止まらせ、自動販売機３が販売する商品すなわち飲料をユーザ２５に購入させることが期待できる。
【０１３４】
また、画像センサーカメラ２８は、液晶パネル２６から半径５ｍの範囲内に位置する人間を撮像し、かつ、検知する。
【０１３５】
そして、自動販売機３の画像判定部４２が、画像センサーカメラ２８が検知した人間が例えば３秒以上、液晶パネル２６の表示方向と同じ方向上で液晶パネル２６から１ｍ以内に位置すると判定した場合、この人間を「商品を買う人」と判断し、画像制御部２７は、最適化情報受信部４１が受信した最適化情報に基づいて、購入される可能性が高い商品の商品画像２６Ａを液晶パネル２６に多く表示させる制御を行なう。
【０１３６】
また、このように最適化情報に基づいて商品画像２６Ａが変更されることに合わせて、商品画像２６Ａに対応する商品が自動販売機３に補充されることは勿論である。
【０１３７】
あるいは、自動販売機３の画像判定部４２が、画像センサーカメラ２８が検知した人間が例えば３秒未満、液晶パネル２６の表示方向と同じ方向上で液晶パネル２６から１ｍ以内に位置すると判定した場合、この人間を「通行人」と判断し、画像制御部２７は、広告画像データベース４４が記録した広告画像を液晶パネル２６に表示させる制御を行なう。
【０１３８】
また、情報表示部として液晶表示パネルを有する自動販売機を情報表示装置の例として挙げて説明したが、必ずしもこのような自動販売機でなくてもよく、例えばデジタルサイネージを利用することができることは勿論である。
【０１３９】
以上のように、本発明の情報表示システムは、識別情報照合部が照合して両方の無線通信機器識別情報が一致した場合に、ユーザ個人属性情報記録部が記録したユーザ個人属性情報を、無線通信機器識別情報と関連付けられた情報表示装置識別情報の情報表示装置へ送信可能なユーザ個人属性情報送信部を有する携帯端末を備えているので、設置された無線通信機器の識別情報と一致する無線通信機器識別情報を記録した携帯端末のユーザの個人属性情報を引き出すことができる。
【０１４０】
また、本発明の情報表示システムは、受信したユーザ個人属性情報と属性対応情報記録部が記録した基準個人属性情報とを対比し、ユーザ個人属性情報が適合した基準個人属性情報と関連付けられて属性対応情報記録部が記録した情報を情報表示部に表示させる制御が可能な表示制御部を有する情報表示装置を備えているので、携帯端末のユーザの属性に適した情報を情報表示部に表示させることができる。
【０１４１】
従って、本発明の情報表示システムは、ユーザの意識を向けさせる情報を表示できる。
【符号の説明】
【０１４２】
１    情報表示システム
２    スマートフォン
３    自動販売機
３Ａ  前面パネル
３Ｂ  商品選択スイッチ
４    サーバ
５    ビーコン
６    ビーコン識別情報データベース
７    ユーザ個人属性情報データベース
８    ビーコン識別情報受信部
９    識別情報照合部
１０    ユーザ個人属性情報送信部
１１    情報表示部
１２    属性対応情報データベース
１３    ユーザ個人属性情報受信部
１４    表示制御部
１５    位置情報検出部
１６    位置情報送信部
１７    地図情報データベース
１８    位置情報受信部
１９    コンテンツデータベース
２０    ビーコン識別情報データベース
２１    ユーザ個人属性情報受信部
２２    ビーコン識別情報受信部
２３    コンテンツ送信部
２４    インターネット
２５    ユーザ
２６    液晶パネル
２６Ａ  商品画像
２７    画像制御部
２８    画像センサーカメラ
２９    輝度センサー
３０    温度センサー
３１    判定部
３２    通知部
３３    電源制御部
３４    正常作動状態情報データベース
３５    撮像情報送信部
３６    撮像情報受信部
３７    撮像情報データベース
３８    自動販売機情報データベース
３９    最適化処理部
４０    最適化情報送信部
４１    最適化情報受信部
４２    画像判定部
４３    広告画像受信部
４４    広告画像データベース
【図１】
0006716137.tif 000002
【図２Ａ】
0006716137.tif 000003
【図２Ｂ】
0006716137.tif 000004